(57)【要約】【課題】簡易かつ確実に地面の締め固めを行うことができ、耐久性にも優れた無機廃棄物用打設バケットを提供する。【解決手段】無機廃棄物用打設バケット２は、バックホー１の操作者がバケットの状態を視認し易いバケットの天部２２において、その上面２２ａが底部２０の底面２０ａと平行となっている。さらに、天部２２において、上面２２ａと垂直な垂直面２２ｂおよび補強リブ２４ａ，２４ｂが上面２２ａに隣接して設けられている。【選択図】図２
0003177721.tif 000002
【実用新案登録請求の範囲】
【請求項１】
バックホーのアームの先端に揺動自在に取り付けられ、無機廃棄物を含む地面の締め固めを行う無機廃棄物用打設バケットであって、
平らな底面を有する底部と、
前記底部から錐形状に立ち上がった複数の側部と、
前記複数の側部の上部に設けられた天部と、
前記天部の上側に設けられ、前記バックホーのアームの先端にバケットシリンダにより揺動自在に支持される支持部と
を備え、
前記天部は、その上面が前記底面と平行となっていることを特徴とする無機廃棄物用打設バケット。
【請求項２】
請求項１記載の無機廃棄物用打設バケットにおいて、
前記天部は、前記上面に隣接して該上面に対して垂直に起立する垂直面を備えることを特徴とする無機廃棄物用打設バケット。
【考案の詳細な説明】
【技術分野】
【０００１】
本考案は、バックホーのアームの先端に取り付けられ、無機廃棄物を含む地面の締め固めを行う無機廃棄物用打設バケットに関する。
【背景技術】
【０００２】
従来、打設装置としては、下記特許文献１に示すように、バックホーの先端に油圧振動機を取り付けて、油圧振動機の振動により打設ヘッドの底面で地面を締め固めるものが知られている。
【先行技術文献】
【特許文献】
【０００３】
【特許文献１】実開昭６１−７６８０５号公報
【考案の概要】
【考案が解決しようとする課題】
【０００４】
しかしながら、かかる打設装置では油圧振動機の振動によりバックホーのバケットシリンダ等に負荷が掛かるという問題がある。特に、最終処分場では、締め固めを行う無機廃棄物を含む地面と、敷き詰められた鉄板上でバックホーが移動可能な位置との距離が様々に変化するため、バケットシリンダ等に予想外の負荷が掛かることがある。
【０００５】
一方で、油圧振動機の代わりに法面用バケット等を用いることも考えられるが、この場合には、水平に打設面を保つことが困難となり地面の締め固めにむらが生じ得るという問題がある。
【０００６】
以上の事情に鑑みて、本考案は、簡易かつ確実に地面の締め固めを行うことができ、耐久性にも優れた無機廃棄物用打設バケットを提供することを目的とする。
【課題を解決するための手段】
【０００７】
上記目的を達成するために、第１考案は、バックホーのアームの先端に揺動自在に取り付けられ、無機廃棄物を含む地面の締め固めを行う無機廃棄物用打設バケットであって、平らな底面を有する底部と、前記底部から錐形状に立ち上がった複数の側部と、前記複数の側部の上部に設けられた天部と、前記天部の上側に設けられ、前記バックホーのアームの先端にバケットシリンダにより揺動自在に支持される支持部とを備え、前記天部は、その上面が前記底面と平行となっていることを特徴とする。
【０００８】
かかる第１考案の無機廃棄物用打設バケットによれば、バックホーの操作者がバケットの状態を視認し易い天部において、その上面が底部の底面と平行となっている。そのため、バックホーの操作者は、上面の傾斜具合を視認しながら、上面が地面と平行な水平状態となるようにバケットを操作することで、底面を地面と平行に保つことができ、これをバケットの自重に従って下ろすことでむらなく地面を締め固めることができる。
【０００９】
このように、第１考案の無機廃棄物用打設バケットによれば、油圧振動機を不要とした簡易な構成とすることでバケットシリンダへの負荷を低減してバックホーの耐久性を維持しながら、確実に地面の締め固めを行うことができる。
【００１０】
第２考案の無機廃棄物用打設バケットは、第１考案において、前記天部は、前記上面に隣接して該上面に対して垂直に起立する垂直面を備えることを特徴とする。
【００１１】
かかる第２考案の無機廃棄物用打設バケットによれば、天部において、底部の底面と平行な上面を備えると共に、上面と垂直な垂直面が上面に隣接して設けられている。そのため、バケットとバックホーとの距離が離れた場合など、上面のみではバケットの状態が認識し難い場合にも、バックホーの操作者は、垂直面を頼りに上面が地面と平行な水平状態にすることができる。
【００１２】
このように、第２考案の無機廃棄物用打設バケットによれば、バケットの上面の傾斜具合を垂直面を設けることで視覚的に認識し易くすることができ、確実に底面を地面と平行に保つことができ、むらなく地面を締め固めることができる。
【図面の簡単な説明】
【００１３】
【図１】無機廃棄物用打設バケットの概略図。
【図２】無機廃棄物用打設バケットの構成図。
【図３】無機廃棄物用打設バケットの使用状態を示す説明図。
【考案を実施するための形態】
【００１４】
本考案の一実施形態としての無機廃棄物用打設バケットについて、図１〜図３を参照して説明する。
【００１５】
まず、図１を参照して、本実施形態の無機廃棄物用打設バケットの概要について説明する。バックホー１に取り付けられた無機廃棄物用打設バケット２は、最終処分場において無機廃棄物を含む地面の締め固めを行うために用いられる。
【００１６】
具体的には、無機廃棄物用打設バケット２は、バックホー１のアーム１０の先端をその揺動方向に対して垂直に貫く貫通孔に取り付けられた第１ピン１１により枢支されると共に、バケットシリンダ１２に連結されたリンク１３の先端に、第１ピン１１と平行に取り付けられた第２ピン１４により枢支される。
【００１７】
そして、バケットシリンダ１２を伸縮させることにより、無機廃棄物用打設バケット２は第１ピン１１を中心に前後に回動することで揺動可能となっている。
【００１８】
なお、最終処分場において、バックホー１は、既に無機廃棄物を含む地面が締め固めされた盛土Ｘに敷かれた鉄板Ｙ上に位置する。一方、バックホー１に取り付けられた無機廃棄物用打設バケット２は、バックホー１から複数のアームを介して、無機廃棄物を新たに埋め立てる仮枠Ｚ上に配置され、仮枠Ｚに投入された無機廃棄物を含む盛土材Ｗを、後述するバックホー１の操作者による操作により締め固める。
【００１９】
次に、図２を参照して、無機廃棄物用打設バケット２の構成について説明する。
【００２０】
無機廃棄物用打設バケット２は、底部２０と、側部２１と、天部２２と、支持部２３とを備える。
【００２１】
底部２０は、鋼鉄製の厚板であって、平らな底面２０ａを有する。
【００２２】
側部２１は、底部２０から錐形状に立ち上がった４枚の側板であって、前後がほぼ対称な形状の前後側板２１ａ,２１ａとなっており、左右が対称な形状の左右側板２１ｂ,２１ｂとなっている。前後側板２１ａ,２１ａに対して、左右が対称な形状の左右側板２１ｂ,２１ｂが高さ方向に長い形状となっている。
【００２３】
なお、前後側板２１ａ,２１ａおよび左右側板２１ｂ,２１ｂは、底部２０と同様の鋼鉄製であり、溶接により底部２０に接続されて一体となっている。
【００２４】
天部２２は、側部２１の上部に設けられた横長の凸部であって、前後側板２１ａ,２１ａの上側で左右側板２１ｂ，２１ｂに挟まれるように支持される。具体的には、天部２２は、前後側板２１ａ,２１ａの上端に溶接により接続されると共に、左右側板２１ｂ，２１ｂの内側面に溶接により接続される。
【００２５】
天部２２は、その上面２２ａが底部２０の底面２０ａと平行となっている。さらに、上面２２ａに隣接する位置において、上面２２ａに対して垂直に起立する垂直面２２ｂを備える。
【００２６】
支持部２３は、天部２２の上側に立設された２つの取付ブラケットであって、バックホー１のアーム１０の先端に取り付けられた第１ピン１１が貫通して軸支される第１軸受２３ａと、バックホー１のリンク１３の先端に取り付けられた第２ピン１４が貫通して軸支される第２軸受２３ｂとが形成されている。
【００２７】
なお、天部２２および支持部２３は、底部２０と同様の鋼鉄製であり、支持部２３は、天部２２に溶接により接続されて一体となっている。また、天部２２と支持部２３との接続を補強するように、これらに垂直な複数の補強リブ２４ａ，２４ｂが設けられている。
【００２８】
次に、図１および図３を参照して、無機廃棄物用打設バケット２の使用方法について説明する。なお、図３は、バックホー１の操作者から無機廃棄物用打設バケット２を視認した様子を模式的に示す。
【００２９】
まず、図１に示すように、最終処分場において、バックホー１のキャビン内の運転席に着席した操作者は、操縦レバー（図示省略）を操作することにより、無機廃棄物用打設バケット２で仮枠Ｚに投入された無機廃棄物を含む盛土材Ｗを締め固める。
【００３０】
このとき、無機廃棄物用打設バケット２は、バックホー１の操作者の前方に位置するものの、図３に示すように、バックホー１の操作者は、底部２０の底面２０ａを直接視認することが困難である。
【００３１】
一方で、無機廃棄物用打設バケット２の天部２２は操作者から直接視認可能となっている。そのため、バックホー１の操作者は、天部２２を中心に無機廃棄物用打設バケット２の状態を把握して、これを操作する。
【００３２】
具体的に、バックホー１の操作者は、天部２２の上面２２ａが底部２０の底面２０ａと平行になっているため、上面２２ａの上面の傾斜具合を視認し、上面２２ａが地面と平行な水平状態となるように無機廃棄物用打設バケット２を操作することで、底面２０ａを地面と平行に保つことができる。そして、この状態で無機廃棄物用打設バケット２を自重に従って下ろすことで、バックホー１の操作者は、むらなく地面を締め固めることができる。
【００３３】
このとき、バックホー１の操作者は、上面２２ａと垂直な垂直面２２ｂや補強リブ２４ａ，２４ａを補完的に視認し、上面２２ａが地面と平行な水平状態にすることができる。特に、無機廃棄物用打設バケット２とバックホー１との距離が離れた場合には、上面２２ａのみではバケットの状態が認識し難いが、この場合でもバックホー１の操作者は、垂直面２２ｂや補強リブ２４ａ，２４ａを頼りに上面２２ａが地面と平行な水平状態にすることができる。
【００３４】
以上説明したように、本実施形態の無機廃棄物用打設バケット２によれば、油圧振動機を不要とした簡易な構成とすることで、バックホー１のバケットシリンダ１２への負荷を低減してバックホー１自体の耐久性を維持しつつ、確実に地面の締め固めを行うことができる。
【符号の説明】
【００３５】
１…バックホー、２…無機廃棄物用打設バケット、１０…アーム、１２…バケットシリンダ、２０…底部、２０ａ…底面、２１…側部、２１ａ…前後側板、２１ｂ…左右側板、２２…天部、２２ａ…上面、２２ｂ…垂直面、２３…支持部（取付ブラケット）、２４ａ，２４ｂ…補強リブ（垂直面）、Ｘ…盛土、Ｙ…鉄板、Ｚ…仮枠、Ｗ…無機廃棄物含む盛土材。
【図１】
0003177721.tif 000003
【図２】
0003177721.tif 000004
【図３】
0003177721.tif 000005
【手続補正書】
【提出日】平成24年6月18日(2012.6.18)
【手続補正１】
【補正対象書類名】図面
【補正対象項目名】図１
【補正方法】変更
【補正の内容】
【図１】
0003177721.tif 000006